(57)【要約】【課題】歯科矯正治療を容易かつ短時間で行うことができ患者および術者の負担を著しく軽減できる歯科矯正用アタッチメントを提供する。【解決手段】本発明の歯科矯正用アタッチメント１は、歯面５０に取り付けられる第１アタッチメント２と、第１アタッチメント２に装着されアーチワイヤ６０を収容するためのスロット４を備えた第２アタッチメント３とを有し、第１アタッチメント２は、第２アタッチメント３を装着するための係合手段５を有し、第２アタッチメント３は、第１アタッチメント２の係合手段５と係合する係合部６を有している。このため、第１アタッチメント２を歯面に固着した後、第１アタッチメント２に第２アタッチメント３を装着するのみでアーチワイヤ６０が固定できる。【選択図】  図２
2004267235.tif 000002
【特許請求の範囲】
【請求項１】
歯面に取り付けられる第１アタッチメントと、
該第１アタッチメントに装着され、当該装着面側にアーチワイヤを収容するためのスロットを備えた第２アタッチメントとを有し、
前記第１アタッチメントは、前記第２アタッチメントを装着するための係合手段を有し、前記第２アタッチメントは、前記第１アタッチメントの前記係合手段と係合する係合部を有していることを特徴とする歯科矯正用アタッチメント。
【請求項２】
前記歯科矯正用アタッチメントは、異なるスロットを有した複数の第２アタッチメントの中から所望の第２アタッチメントを適宜選択使用することにより、各歯牙の矯正方向を調整可能に構成されている請求項１に記載の歯科矯正用アタッチメント。
【請求項３】
前記第２アタッチメントは、外面側が平坦面に形成されている請求項１または２に記載の歯科矯正用アタッチメント。
【発明の詳細な説明】
【０００１】
【発明の属する技術分野】
本発明は、歯科矯正に際して、アーチワイヤを保持するために歯面に装着される歯科矯正用アタッチメントに関する。
【０００２】
【従来の技術】
従来より、歯科矯正治療において、アイデアルアーチ（歯列弓の理想的な形態）を実現するために、アーチワイヤを歯科矯正用アタッチメント（ブラケット）に結紮し、アーチワイヤの復元力を利用して各歯牙に矯正力を与えることが行われている。
【０００３】
このような矯正治療に使用される歯科矯正用アタッチメントとしては、アーチワイヤを収容するためのスロット（横断溝）を有したブラケットが一般的に用いられており、このブラケットを各歯面に装着した後、スロット内にアーチワイヤを収容し、リガチャワイヤなどで結紮してアーチワイヤを固定していた。
【０００４】
【発明が解決しようとする課題】
しかし、上記のような結紮を各歯牙に対して行うことは煩雑であり、特に舌側面側においては困難で唇側面側に比して約２倍の結紮時間を要していた。
【０００５】
また、歯牙の矯正方向は、基本的に各歯牙に対するブラケットの位置により決定されるが、ブラケット装着後に矯正方向を調整したい場合があり、そのような場合は、アーチワイヤを屈曲させるか、ブラケットを剥離して装着をやり直して対応していた。しかし、そのようなことは煩雑で時間を要することでもあり、また、それらの手技を未熟な術者が行うと口腔内を損傷することもあった。
【０００６】
さらに、従来のブラケットは、スロットとアーチワイヤとの係合部が表面に露呈して凹凸を形成するため、唇や舌が当たって傷つけたり、矯正期間中の違和感も強く、さらに食物等が詰まることもあった。
【０００７】
本願発明は、このような歯科矯正治療の諸問題を解決するものとして想起されたものであり、すなわち、本発明の第１の課題は、歯科矯正治療を容易かつ短時間で行うことができ、患者および術者の負担を著しく軽減できる歯科矯正用アタッチメントを提供することにある。
【０００８】
また、本発明の第２の課題は、歯科矯正治療を容易かつ短時間で行うことができ患者および術者の負担を著しく軽減できると共に、矯正方向の調整を容易に行うことができる歯科矯正用アタッチメントを提供することにある。
【０００９】
さらに、本発明の第３の課題は、歯科矯正治療を容易かつ短時間で行うことができ患者および術者の負担を著しく軽減できると共に、矯正期間中に口腔内を傷つけたり違和感を感じることも少なく、食物等が詰まることも抑制できる歯科矯正用アタッチメントを提供することにある。
【００１０】
【課題を解決するための手段】
上記第１の課題を解決するものは、歯面に取り付けられる第１アタッチメントと、該第１アタッチメントに装着され、当該装着面側にアーチワイヤを収容するためのスロットを備えた第２アタッチメントとを有し、前記第１アタッチメントは、前記第２アタッチメントを装着するための係合手段を有し、前記第２アタッチメントは、前記第１アタッチメントの前記係合手段と係合する係合部を有していることを特徴とする歯科矯正用アタッチメントである。
【００１１】
また、上記第２の課題を解決するものは、歯面に取り付けられる第１アタッチメントと、該第１アタッチメントに装着され、当該装着面側にアーチワイヤを収容するためのスロットを備えた第２アタッチメントとを有し、前記第１アタッチメントは、前記第２アタッチメントを装着するための係合手段を有し、前記第２アタッチメントは、前記第１アタッチメントの前記係合手段と係合する係合部を有した歯科矯正用アタッチメントであって、該歯科矯正用アタッチメントは、異なるスロットを有した複数の第２アタッチメントの中から所望の第２アタッチメントを適宜選択使用することにより、各歯牙の矯正方向を調整可能に構成されていることを特徴とする歯科矯正用アタッチメントである。
【００１２】
さらに、上記第３の課題を解決するものは、歯面に取り付けられる第１アタッチメントと、該第１アタッチメントに装着され、当該装着面側にアーチワイヤを収容するためのスロットを備えた第２アタッチメントとを有し、前記第１アタッチメントは、前記第２アタッチメントを装着するための係合手段を有し、前記第２アタッチメントは、前記第１アタッチメントの前記係合手段と係合する係合部を有した歯科矯正用アタッチメントであって、前記第２アタッチメントは、外面側が平坦面に形成されていることを特徴とする歯科矯正用アタッチメントである。
【００１３】
【発明の実施の形態】
以下、本発明の歯科矯正用アタッチメントを、図面に示した実施例を用いて説明する。図１は本発明の歯科矯正用アタッチメントの一実施例の正面図であり、図２は図１のＡ−Ａ線断面図であり、図３は図１に示した歯科矯正用アタッチメントにおける第１アタッチメントの斜視図であり、図４は図１に示した歯科矯正用アタッチメントにおける第２アタッチメントの斜視図であり、図５は図１に示した歯科矯正用アタッチメントの使用状態を示す縦断面図であり、図６は本発明の歯科矯正用アタッチメントの他の実施例における第２アタッチメントの斜視図であり、図７は本発明の歯科矯正用アタッチメントの他の実施例における第２アタッチメントの縦断面図である。
【００１４】
この実施例の歯科矯正用アタッチメント１は、図１、図２および図５に示すように、歯面５０に取り付けられる第１アタッチメント２と、第１アタッチメント２に装着され、当該装着面３ａ側にアーチワイヤ６０を収容するためのスロット４を備えた第２アタッチメント３とを有し、第１アタッチメント２は、第２アタッチメント３を装着するための係合手段５を有し、第２アタッチメント３は、第１アタッチメント２の係合手段５と係合する係合部６を有している。以下、各構成について順次詳述する。
【００１５】
第１アタッチメント２は、図５に示すように、各歯牙の歯面５０に取り付けられる部材である。具体的には、この第１アタッチメント２は、ベース部２ａの背面側がボンディング法により接着されて歯面５０に固着される。なお、この実施例のベース部２ａは、図１に示すような平面形状を有しているが、これに限定されるものではなく、背面側が歯面に固着可能なものであればどのような形態でもよい。
【００１６】
また、第１アタッチメント２は、後述する第２アタッチメント３を装着するための係合手段５を有している。具体的には、この第１アタッチメント２は、図３に示すように、ベース部２ａの正面側より前方に向かって突出するように設けられた二つの係合手段５ａ，５ｂを有しており、これら係合手段５ａ，５ｂは先端付近にそれぞれ係止爪５ｃ，５ｄを有している。
【００１７】
第１アタッチメント２を構成するベース部２ａと係合手段５ａ，５ｂとは、この実施例のように別体にて形成されていてもよいが、形成材料によっては一体に成形されたものでもよい。
【００１８】
第２アタッチメント３は、第１アタッチメント２の正面側より被嵌され、アーチワイヤ６０を保持した状態で第１アタッチメント２に装着される部材である。具体的には、この実施例の第２アタッチメント３は、図１および図４に示すように、平面形状が第１アタッチメント２と略同一に形成されており、第１アタッチメント２との装着面３ａ側に、アーチワイヤ６０を収容するためのスロット（横断溝）４を備え、さらに、スロット４の上下部位にそれぞれ、第１アタッチメント２の係合手段５ａ，５ｂを挿嵌するための挿嵌用凹部７ａ，７ｂを備えている。
【００１９】
挿嵌用凹部７ａ，７ｂを形成する内面の一部には、図２に示すように、第１アタッチメント２の係合手段５ａ，５ｂが挿入された状態で、係止爪５ｃ，５ｄと噛合する係合部６ａ，６ｂがそれぞれ構成されている。すなわち、この実施例の歯科矯正用アタッチメント１では、第１アタッチメント２の係止爪５ｃ，５ｄと、第２アタッチメント３の係合部６ａ，６ｂがそれぞれ噛合することにより、第２アタッチメント３の第１アタッチメント２への被嵌装着が実現するよう構成されている。
【００２０】
また、この実施例では、第１アタッチメント２の係合手段５ａ，５ｂにより形成される凸部と、第２アタッチメント３の挿嵌用凹部７ａ，７ｂにより形成される凹部とが係合して両者が連結されるため、矯正期間中に第１アタッチメント２および第２アタッチメント３との相互間に位置ずれが生ずることもない。
【００２１】
第１アタッチメント２および第２アタッチメント３の形成材料としては、特に限定されないが、金属材料、セラミック材料、樹脂材料などが好適に使用できる。なお、この実施例では、金属材料にて第１アタッチメント２および第２アタッチメント３が形成されている。
【００２２】
本発明の歯科矯正用アタッチメントは、上記のように構成されているため、歯面に第１アタッチメントを固着した後、第１アタッチメントの表面側において、第１アタッチメントの係合手段と第２アタッチメントの係合部との係合により、第２アタッチメントが装着できる。その際、アーチワイヤは、第２アタッチメントのスロット内に収容されて固定されるため、アーチワイヤを結紮線（例えばリガチャワイヤ）等にて各歯牙毎に結紮する必要がなく、極めて容易かつ短時間でアーチワイヤを固定できる。
【００２３】
また、第２アタッチメント３の外面３ｂは、図３に示すように略平坦面に形成されている。これにより、表面に凹凸が現れず、また、従来のブラケットのように、スロットとアーチワイヤとの係合部が外部に露呈することがないため、矯正期間中に口腔内（例えば、唇や舌）を傷つけたり違和感を感じることも少なく、食物等が詰まることも抑制できる。
【００２４】
さらに、本発明の歯科矯正用アタッチメントでは、異なるスロットを有した複数の第２アタッチメントの中から所望の第２アタッチメントを適宜選択使用することにより、各歯牙の矯正方向を調整可能となっている。このため、本発明の歯科矯正用アタッチメントでは、煩雑でかつ術者の技量によるところが大きいアーチワイヤの屈曲（ファーストオーダーベント、セカンドオーダーベント、サードオーダーベント）を行うことなく、矯正方向の調整を極めて容易に行うことができる。
【００２５】
具体的には、ファーストオーダーベンドに代わるファーストオーダーメカニクスとして、第２アタッチメントの溝の深さ（装着面から正面側へ向かう長さ）が異なる複数の第２アタッチメントを用意して、各歯牙の状態に応じて、所望の第２アタッチメントを選択することにより、インセット或いはアウトセットを可能とし、各歯牙の唇（頬）舌的移動を実現することができる。
【００２６】
なお、この場合は、口外にて予め、第２アタッチメントのスロット内にアーチワイヤを嵌めた状態で結紮線等で結紮し、その後、第１アタッチメントに装着することが好ましい。これにより、スロットの溝の深さに応じたアーチワイヤの固定が可能となる。そして、本発明の歯科矯正用アタッチメントは、このように、予め口外にて、第２アタッチメントのスロット内にアーチワイヤを嵌めた後（結紮線等で結紮する場合も結紮しない場合も含む。）、第１アタッチメントに装着して使用することで、第２アタッチメントの第１アタッチメントへの装着をより容易なものとすることもできる。また、ファーストオーダーメカニクスとしては、ベース部の肉厚がそれぞれ異なる複数の第１アタッチメントを用意して、各歯牙の状態に応じて、所望の肉厚を有する第１アタッチメントを選択使用することにより、各歯牙の唇（頬）舌的移動を実現してもよい。
【００２７】
また、セカンドオーダーベンドに代わるセカンドオーダーメカニクスとして、例えば図６に示した第２アタッチメント１０のように、横幅方向に対して所定角度（アンギュレーション）を有するスロット１４を備えた第２アタッチメントを複数種類用意して、各歯牙の状態に応じて、所望のアンギュレーションを有する第２アタッチメントを選択使用することにより、歯軸に傾斜を与えることが可能となる。
【００２８】
さらに、サードオーダーベンドに代わるサードオーダーメカニクスとして、例えば図７に示した第２アタッチメント２０のように、肉厚方向に対して所定角度（トルク）を有するスロット２４を備えた第２アタッチメントを複数種類用意して、各歯牙の状態に応じて、所望のトルクを有する第２アタッチメントを選択使用することにより、歯根および歯冠の唇（頬）舌的移動が可能となる。
【００２９】
なお、第１アタッチメントと第２アタッチメントとの係合機構は、上記実施例の態様に限定されるものではなく、第１アタッチメントと第２アタッチメントとが容易に係合解除しないよう装着可能なものは、広く本発明の範疇に包含される。例えば、上記実施例の歯科矯正用アタッチメント１は、上下２箇所の係合機構より構成されているが、１以上の係合機構を有するもの、または、この実施例とは逆で、第１アタッチメントが凹状の係合部を有し、第２アタッチメントが凸状の係合手段を有するものなども本発明に包含される。
【００３０】
また、上記実施例は、第１アタッチメントと第２アタッチメントとが、分離したものであるが、例えば、両者の下端側に蝶番などの回動部材を取り付け、第２アタッチメントを第１アタッチメントに対して回動可能とし、一体的構成としたものも本発明の範疇に包含される。このような構成により、第１アタッチメントへの第２アタッチメントの装着がより容易なものとなる。
【００３１】
【発明の効果】
請求項１に記載した発明によれば、歯科矯正治療を容易かつ短時間で行うことができ患者および術者の負担を著しく軽減できる。
請求項２に記載した発明によれば、上記請求項１の効果に加え、矯正方向の調整を容易に行うことができる。
請求項３に記載した発明によれば、上記請求項１または２の効果に加え、矯正期間中に口腔内を傷つけたり違和感を感じることも少なく、食物等が詰まることも抑制できる。
【図面の簡単な説明】
【図１】本発明の歯科矯正用アタッチメントの一実施例の正面図である。
【図２】図１のＡ−Ａ線断面図である。
【図３】図１に示した歯科矯正用アタッチメントにおける第１アタッチメントの斜視図である。
【図４】図１に示した歯科矯正用アタッチメントにおける第２アタッチメントの斜視図である。
【図５】図１に示した歯科矯正用アタッチメントの使用状態を示す縦断面図である。
【図６】本発明の歯科矯正用アタッチメントの他の実施例における第２アタッチメントの斜視図である。
【図７】本発明の歯科矯正用アタッチメントの他の実施例における第２アタッチメントの縦断面図である。
【符号の説明】
１  歯科矯正用アタッチメント
２  第１アタッチメント
３  第２アタッチメント
３ａ  装着面
３ｂ  外面
４  スロット
５  係合手段
６  係合部
７  挿嵌用凹部
【図１】
2004267235.tif 000003
【図２】
2004267235.tif 000004
【図３】
2004267235.tif 000005
【図４】
2004267235.tif 000006
【図５】
2004267235.tif 000007
【図６】
2004267235.tif 000008
【図７】
2004267235.tif 000009